Podtech/llm-jp-corpus-v4-ja_patent huggingface dataset:
(57)【特許請求の範囲】
【請求項１】
モータにより駆動されるファンを、モータケースの天面と送風ケースの上仕切板と側仕切板とで仕切られる送風室に設け、この送風室の中心に配置したファンにより香料収納部から出る香気を上仕切板の中央かつファンの中心上方に配置した吸引口から送風室に吸引して吹出す芳香器であって、
送風ケースにおいてファンが設けられる送風室を仕切る前記上仕切板の吸引口の直ぐ上流側に該吸引口を介して該送風室に連通する空気溜め部を設け、香料収納部がその下方の出口を介して該空気溜め部に連通すると共に、香料収納部回りに設けた狭小、かつ該香料収納部を貫通しない空気取入れ通路を上記空気溜め部に連通してなる芳香器。
【発明の詳細な説明】
【０００１】
【発明の属する技術分野】
本発明は、芳香器に関する。
【０００２】
【従来の技術】
特開平10-85313号公報に記載の、ハウジング内に香料収納部を設け、モータにより駆動されるファンを送風室に設け、香料収納部から出る香気をこのファンにより送風室に吸引して吹出す芳香器がある。
【０００３】
然しながら、芳香器において、ハウジングの外形寸法に対し香料収納部の容積を可及的に大きくし、結果として、ハウジング内の香料収納部回りに形成される送風室への空気取入れ通路の流路面積が狭小になると、ファンが作動したときに十分な空気を取入れできず、芳香吹出し風量を多くできない。
【０００４】
【発明が解決しようとする課題】
本発明の課題は、芳香器において、香料収納部の容積を可及的に大きくしながら、芳香吹出し風量を多くとることにある。
【０００５】
【課題を解決するための手段】
本発明は、モータにより駆動されるファンを、モータケースの天面と送風ケースの上仕切板と側仕切板とで仕切られる送風室に設け、この送風室の中心に配置したファンにより香料収納部から出る香気を上仕切板の中央かつファンの中心上方に配置した吸引口から送風室に吸引して吹出す芳香器であって、送風ケースにおいてファンが設けられる送風室を仕切る前記上仕切板の吸引口の直ぐ上流側に該吸引口を介して該送風室に連通する空気溜め部を設け、香料収納部がその下方の出口を介して該空気溜め部に連通すると共に、香料収納部回りに設けた狭小、かつ該香料収納部を貫通しない空気取入れ通路を上記空気溜め部に連通してなるようにしたものである。
【０００６】
【発明の実施の形態】
芳香器１０は、図１〜図３に示す如く、モータケース１１と、送風ケース１２と、芳香タンク１３を積層した 3層構造体である。
【０００７】
モータケース１１は、電池２３、モータ２４を収納し、モータ２４の出力軸２４Ａはモータケース１１の天面に設けた軸孔２５を貫通し、その貫通端にファン２６を圧入している。
【０００８】
送風ケース１２は、モータケース１１に係合した状態で、モータケース１１の天面と上仕切板３３と側仕切板３４とで囲まれる送風室３５を形成し、この送風室３５の中心にファン２６を配置し、上仕切板３３の中央に設けた吸引口３６をファン２６の中心上方に配置し、送風室３５の外周側で側仕切板３４の略Ｃ字の切れ目に対応する送風ケース１２の側面に設けた吹出し口３７を配置している。
【０００９】
芳香タンク１３は、香料収納カセット４１と、カバー４２とから構成される。香料収納カセット４１は、有底半球状をなし、香料１（芳香剤）を収納する香料収納部を構成している。香料収納カセット４１は、球体頂面に１以上の入口４３Ａを開口し、底面中央に出口４３Ｂを開口している。香料収納カセット４１は、送風ケース１２の上仕切板３３の上面の支持突部３８上に載置され、筒部４４を上仕切板３３の中央の吸引口３６に配置している。
【００１０】
カバー４２は送風ケース１２に着脱される。カバー４２は、球体頂面に空気取入れ口４７を備え、送風ケース１２に係着された状態で、香料収納カセット４１の外面との間に空気取入れ通路４８（空気取入れ通路４８は、香料収納カセット４１の底面と送風ケース１２の上仕切板３３の上面との間を吸引口３６にまで延在する）を形成する。
【００１１】
従って、芳香器１０は、モータ２４がファン２６を駆動すると、カバー４２の空気取入れ口４７からカバー４２と香料収納カセット４１との間を通る空気取入れ通路４８を経て空気が吸引口３６から送風室３５に吸引されるとともに、カバー４２の空気取入れ口４７から香料収納カセット４１の入口４３Ａ、出口４３Ｂを通る香気取入れ通路４９により香料収納カセット４１内の香気が吸引口３６から送風室３５に吸引される。これにより、空気と香気が送風室３５でミックスされて芳香を生成し、送風ケース１２の側面の吹出し口３７から室内に吹出すものとなる。
【００１２】
然るに、芳香器１０にあっては、送風ケース１２において、モータ２４により駆動されるファン２６が設けられる送風室３５の吸引口３６の直ぐ上流側に陥凹状の空気溜め部５１を設け、香料収納カセット４１とカバー４２の間に設けた狭小な空気取入れ通路４８（本実施形態では香料収納カセット４１の外形をカバー４２の内周に可及的に近づけ、香料収納カセット４１の香料収納容積を可及的に拡大してあるため、空気取入れ通路４８は狭小になっている）を上記空気溜め部５１に連通している。
【００１３】
即ち、芳香器１０にあっては、香料収納カセット４１の容積を大きくとると、香料収納カセット４１回りに形成される送風室３５への空気取入れ通路４８の流路面積が狭小にならざるを得ないが、ファン２６が作動したときに、直ぐ上流の空気溜め部５１からスムースに空気が吸引され、結果として、十分な空気を取入れることができ、芳香吹出し風量を多くすることができる。
【００１４】
図４は、芳香器１０を用いた実験結果であり、ファン２６の回転時に送風室３５の吹出し口３７から吹出される芳香吹出し風速Ｖ（m/s ）と、上述の空気溜め部５１の容積Ｑ（cm3 ）との関係を示す。空気溜め部５１の容積が大なるほど香気吹出し風速は大きくなる。
【００１５】
【発明の効果】
本発明によれば、芳香器において、香料収納部の容積を可及的に大きくしながら、芳香吹出し風量を多くとることができる。
【図面の簡単な説明】
【図１】  図１は芳香器を示す斜視図である。
【図２】  図２は芳香器を示す断面図である。
【図３】  図３は芳香器を示す分解斜視図である。
【図４】  図４は芳香吹出し特性を示す線図である。
【符号の説明】
１０  芳香器
１１  モータケース
１２  送風ケース
２４  モータ
２６  ファン
３３  上仕切板
３４  側仕切板
３５  送風室
３６  吸引口
４１  香料収納カセット（香料収納部）
４８  空気取入れ通路
５１  空気溜め部
【図１】
0004402187.tif 000002
【図２】
0004402187.tif 000003
【図３】
0004402187.tif 000004
【図４】
0004402187.tif 000005
(57)【特許請求の範囲】
【請求項１】
ランプハウジングに換気口が設けられている自動車用ヘッドランプにおいて、水分の接触によりジェル状となる高分子吸収体を付着させたフィルタを内蔵した通気口を有する第１ケースと、通気穴が設けられており強風時に前記第１ケースの通気口を塞ぐ防風シートを内設した通気穴を有する第２ケースとからなり、前記第１ケースは前記換気口に装着し、前記第２ケースは第１ケースに嵌着したことを特徴とする自動車用ヘッドランプの換気構造。
【発明の詳細な説明】
【技術分野】
【０００１】
本発明は、自動車用ヘッドランプ内部の結露を防止するようにした換気構造において、水蒸気等の侵入よる結露を防止するようにした自動車用ヘッドランプの換気構造に関するものである。
【背景技術】
【０００２】
ランプハウジングに換気口を設け自動車用ヘッドランプ内部の結露を防止するようにした自動車用ヘッドランプの換気構造が提供されている。
【０００３】
ところが、雨天走行時にエンジンルーム内に侵入した水やエンジン熱によって発生した水蒸気の一部がエンジン冷却用フアンや走行時の風によってランプの換気口よりランプ内に侵入する。
【０００４】
その後、ランプレンズ面が外気等で冷却されると、ランプレンズ面に曇りが発生し照度が低下し易くなり外観の見栄えを悪くする。
【０００５】
これの対策としてランプレンズ内面に結露防止用の界面活性剤を塗布している製品もあるが、換気口からの水蒸気侵入量が多い場合は効果が十分に得られないことがある。
【特許文献１】実用新案登録第２５６０９１６公報
【特許文献２】特開平５−７３８０４公報
【発明の開示】
【発明が解決しようとする課題】
【０００６】
本発明は、このような問題点に鑑みて、換気口からの水や水蒸気等の侵入を防止するようにした自動車用ヘッドランプの換気構造を提供することを目的とする。
【課題を解決するための手段】
【０００７】
本発明は、この目的を達成するために、請求項１に記載のとおり、ランプハウジングに換気口が設けられている自動車用ヘッドランプにおいて、水分の接触によりジェル状となる高分子吸収体を付着させたフィルタを内蔵した通気口を有する第１ケースと、通気穴が設けられており強風時に前記第１ケースの通気口を塞ぐ防風シートを内設した通気穴を有する第２ケースとからなり、前記第１ケースは前記換気口に装着し、前記第２ケースは第１ケースに嵌着したことを特徴とするものである。
【発明の効果】
【０００８】
本発明によれば、従来の換気口を備えた自動車用ヘッドランプにおいて、簡単な構造の付加により水蒸気の侵入を防止し照度の低下や外観の見栄えの悪化をさせないようにすることができるという効果を有している。
【発明を実施するための最良の形態】
【０００９】
以下本発明を実施するための最良の形態について図面に基づいて説明する。図１において、１は自動車用ヘッドランプのランプハウジングであり、ランプハウジング１内を換気してレンズ面の曇りを防止するためにランプハウジング１内を換気する換気口２が設けられている。本発明は前記換気口２にレンズ面の曇りの原因となる水蒸気の侵入を防止する手段を備えたことを特徴とするものである。この手段の具体的構造について図２により説明する。
【００１０】
図２において、４は樹脂製で筒状の第１ケースであり、７は樹脂製で筒状の第２ケースである。これら第１ケース４の底には通気口５が第２ケース７の底には通気口８が開設されている。前記第１ケース４には水分の接触によりジェル状となる高分子吸収体を付着させたフィルタ６が内蔵されており、前記第２ケース７には強風時に前記第１ケースの通気口５を塞ぐ防風シート９が内設されている。この防風シート９は極薄の樹脂シートであり通気穴１０が開設されている。
【００１１】
前記フィルタ６は例えば、発泡率４０倍程度の既存のポリエステルであり、このフィルタ６に吸水率１００〜１０００倍の高分子吸収体を付着させ、高分子吸収体の水分を除去するために５０℃で３０分程度の乾燥を行う。これにより高分子吸収体はフィルタ６の繊維に薄い膜となって付着した状態となる。尚。高分子吸収体は、例えば、ポリアクリル酸塩が適当である。
【００１２】
上記防風シート９を内設した第２ケース７を高分子吸収体を付着させたフィルタ６を内蔵している第１ケース４の底部に嵌着して一体化し、第１ケース４をランプハウジング１の換気口に装着する。第２ケース７と一体化した第１ケース４の換気口２への装着は、ランプハウジング１の換気口２に直接嵌着してもよいし、図１で示すように、ランプハウジング１の換気口２に装着して下向きに曲がったゴムチューブ３の下端に嵌着する。
【００１３】
本発明は上記の通りの構造であるから、通常は第２ケース７内の防風シート９は図３で示すように、第２ケース７の底面との間に隙間を有して位置し、ランプハウジング１内と外気とをフィルタ６、第１ケース４の通気口５、防風シート９の通気穴１０及び第２ケース７の通気口８を介して連通して換気作用を行いレンズ面の曇りを防止する。
【００１４】
上記の換気作用の状態で、エンジン冷却用フアンの比較的弱い風により水あるいは水蒸気が侵入した場合は、フィルタ６に付着させた高分子吸収体が水分の接触によりジェル状１１に膨張を始め、換気量が一時的に低下してランプハウジング１内への水や水蒸気の侵入を防止する。そして、エンジンルーム内が乾燥してきた場合には、高分子吸収体の水分は１０分程度で乾燥して高分子吸収体のジェル状１１の膨張はなくなり換気作用状態に復帰する。尚、高分子吸収体は紫外線の影響を受け難い第１ケース４内にセットすることで約５年以上の持続効果がある。
【００１５】
一方、車両走行時等で発生した強風によって水や水蒸気が侵入した場合は、図４で示すように、第２ケース７内の防風シート９が風圧により第１ケース４の底面に押し上げられて第１ケース４の底に開設されている通気口５を防風シート９で閉塞し、強風による水や水蒸気のランプハウジング１内へ侵入を防止する。尚、他の作用効果として、強風時に０．０１μ程度ｍの排気ガス（煤）がランプハウジング１内へ侵入しレンズ面の汚れやランプの光度低下となる不具合を低減できる。
【００１６】
このように本発明は、ランプハウジング１の構造を設計変更することなく、既存のランプハウジング１でも、その換気口２へ簡単な構造で低コストの第１ケース４及び第２ケース７より構成された水、水蒸気その他排気ガス（煤）、埃等のランプハウジング１への侵入防止手段を装着することができ、レンズ面の曇りや汚れ防止効果を向上させることができる。
【図面の簡単な説明】
【００１７】
【図１】本発明の要部断面図
【図２】本発明による水蒸気等の侵入防止手段を示す断面図
【図３】水蒸気等の侵入防止状態を示す断面図
【図４】強風時における水蒸気等の侵入防止状態を示す断面図
【符号の説明】
【００１８】
１    ランプハウジング
２    換気口
３    ゴムチューブ
４    第１ケース
５    通気口
６    フィルタ
７    第２ケース
８    通気口
９    防風シート
１０  通気穴
１１  高分子吸収体のジェル状
【図１】
0004402036.tif 000002
【図２】
0004402036.tif 000003
【図３】
0004402036.tif 000004
【図４】
0004402036.tif 000005